(57)【要約】【課題】構造が比較的簡単で低コストにて製造できる経済性を備え、電気的な故障が少く、使用履歴等の情報を正確な時刻情報に基づいて正しく管理することができると共に、容易に使用できるように工夫した鍵及び錠装置を提供する。【解決手段】鍵１０と、この鍵１０を用いる錠２０とから成り、鍵１０には固有のＩＤと、現在時刻を示す内部時計１１と、錠２０との間で情報の送受信を可能とするインターフェイス１７を設け、錠２０には、鍵１０との間で情報の送受信を可能とするインターフェイス２１と、ＩＤ照合手段を設け、鍵１０又は錠２０のいずれかには、施錠・開錠の時刻情報をＩＤごとに記憶する記憶手段を設ける。【選択図】      図１
2004293244.tif 000002
【特許請求の範囲】
【請求項１】
鍵と、この鍵を用いて家屋、部屋、筐体等への施錠と開錠を行ったり、或は、各種機器類、装置類を稼働状態にすることができる錠とから成る鍵及び錠装置であって、
鍵側には、少くとも鍵固有のＩＤと、各種の付帯情報を記憶するメモリと、現在時刻を示す内部時計と、錠に挿入することで、錠との間で情報の送受信を可能とするインターフェイスとを具備せしめ、
錠側には、上記鍵の挿入によって鍵との間で情報の送受信を可能とするインターフェイスと、鍵側から送られて来る鍵のＩＤを照合するＩＤ照合手段と、ＩＤの照合が有効と認められると、上記各インターフェイス同士の接続を認めて各種情報の授受を可能にする情報伝達手段と、上記鍵による施錠、開錠又は稼働を可能にする錠制御手段を具備せしめると共に、
上記鍵又は錠のいずれか一方又は両方には、上記内部時計の時刻に基づく上記施錠、開錠又は稼働の時刻情報を、ＩＤごとにメモリに記憶する記憶手段と、記憶した情報を外部出力可能にした外部出力手段とを具備せしめたことを特徴とする鍵及び錠装置。
【請求項２】
鍵には、コンピュータ端末機を介して信頼できる時計を有する時刻配信機関から提供される正確な時刻情報を入手可能にした外部インターフェイスと、時刻配信機関から入手した正確な時刻情報に基づいて、自己の時刻を規定する内部時計の補正を行う時刻補正手段を具備せしめたことを特徴とする請求項１に記載の鍵及び錠装置。
【請求項３】
鍵の内部時計が、発信器によって駆動して当該内部時計の現在の時刻情報を規定する第１カウンタと、時刻配信機関から取り込んだ正確な時刻に基づいて歩進する第２カウンタと、両カウンタの時刻情報を比較してその偏差データを算出する比較器と、両カウンタの偏差データを元に第１カウンタの歩度修正を行う内部時計修正手段を有することを特徴とする請求項１又は２に記載の鍵及び錠装置。
【請求項４】
鍵と錠の各インターフェイスが、接触又は非接触によって双方向にデータ授受可能なインターフェイスであることを特徴とする請求項１、２又は３に記載の鍵及び錠装置。
【請求項５】
鍵に複数の鍵溝を設ける一方、錠側にはこれ等複数の鍵溝に合致すると開錠作動される複数のシリンダピンと、鍵溝には関係なく、前記鍵のＩＤが有効と認められると電気信号によって開錠作動されるプランジャピンとを設けたことを特徴とする請求項１、２、３又は４に記載の鍵及び錠装置。
【請求項６】
鍵のメモリに、鍵の有効期限を設定するための有効期限フラグを設けたことを特徴とする請求項１、２、３、４又は５に記載の鍵及び錠装置。
【発明の詳細な説明】
【０００１】
【発明の属する技術分野】
本発明は、ＩＤコードを利用することにより、ＩＤコードが有効であると認められた時に、家屋、部屋、筐体等への施錠と開錠を行ったり、或は、各種機器類、装置類を稼働状態にすることができるように工夫した鍵及び錠装置に関するものである。
【０００２】
【従来の技術】
ＩＤコードの有効性に基づいて、錠の開閉や各種機器や装置類の稼働を可能にするシステムに関しては、従来より、例えば特許文献１に見られるような「入出管理システム」や、特許文献２に見られるような「電子部品埋め込みキー及びそのキープレート」が存在する。
【０００３】
【特許文献１】
特開２００１−２０５７４号公報
【特許文献２】
特開平８−１３８７５号公報
【０００４】
【発明が解決しようとする課題】
上記特許文献１に記載の「入出管理システム」は、ＩＤコードを利用して入出可否の判断や、電気錠の制御を行って入出を管理するものであるが、このシステムは大掛かりなコンピュータ装置を必要とするため、一般の家屋等や機器類等に簡単に利用できない問題があり、また、電磁障害、誤動作、停電対策、メンテナンスと言った各種のトラブルや対策が不可欠であり、更には、入出情報の時刻が不正確であったり、時刻情報が改ざんされる可能性があるため、その信頼性を確保するためには様々な手立てを講じる必要があって、容易に実施できない問題があった。
【０００５】
また、上記特許文献２には、鍵の把持部に電子部品（メモリ等）が内蔵され、鍵のＩＤコードを記憶して、鍵操作時にＩＤコードを発信し、キーシリンダー側に内蔵されている受信器が鍵から受信したＩＤコードと、予め設定されているＩＤコードとが一致した時に、自動車のエンジンを始動するように構成されたものが記載されている。
【０００６】
しかし、上記特許文献２に記載のものは、自動車の盗難防止等に対しては効果的であるが、これをその他の扉や蓋等の施錠や開錠にはそのまま使用できないものであり、また、何時、誰が鍵を使用操作したか等のデータを正確に、且つ、詳細に管理できない問題があった。
【０００７】
本発明は上述した各問題点を解決するべく開発されたものであって、その技術的課題は、構造が比較的簡単で低コストにて製造できる経済性を備え、電気的な故障が少く、使用履歴等の情報を正確な時刻情報に基づいて正しく管理することができると共に、容易に使用できるように工夫した鍵及び錠装置を提供することである。
【０００８】
【課題を解決するための手段】
上記の技術的課題を解決するために本発明で講じた手段は以下の如くである。
【０００９】
（１）  前記請求項１に記載の如く、鍵と、この鍵を用いて家屋、部屋、筐体等への施錠と開錠を行ったり、或は、各種機器類、装置類を稼働状態にすることができる錠とから成る鍵及び錠装置であって、鍵側には、少くとも鍵固有のＩＤと、各種の付帯情報を記憶するメモリと、現在時刻を示す内部時計と、錠に挿入することで、錠との間で情報の送受信を可能とするインターフェイスとを具備せしめ、錠側には、上記鍵の挿入によって鍵との間で情報の送受信を可能とするインターフェイスと、鍵側から送られて来る鍵のＩＤを照合するＩＤ照合手段と、ＩＤの照合が有効と認められると、上記各インターフェイス同士の接続を認めて各種情報の授受を可能にする情報伝達手段と、上記鍵による施錠、開錠又は稼働を可能にする錠制御手段を具備せしめると共に、上記鍵又は錠のいずれか一方又は両方には、上記内部時計の時刻に基づく上記施錠、開錠又は稼働の時刻情報を、ＩＤごとにメモリに記憶する記憶手段と、記憶した情報を外部出力可能にした外部出力手段とを具備せしめたことを特徴とするものである。
【００１０】
（２）  前記請求項２に記載の如く、鍵には、コンピュータ端末機を介して信頼できる時計を有する時刻配信機関から提供される正確な時刻情報を入手可能にした外部インターフェイスと、時刻配信機関から入手した正確な時刻情報に基づいて、自己の時刻を規定する内部時計の補正を行う時刻補正手段を具備せしめたことを特徴とするものである。
【００１１】
（３）  前記請求項３に記載の如く、鍵の内部時計が、発信器によって駆動して当該内部時計の現在の時刻情報を規定する第１カウンタと、時刻配信機関から取り込んだ正確な時刻に基づいて歩進する第２カウンタと、両カウンタの時刻情報を比較してその偏差データを算出する比較器と、両カウンタの偏差データを元に第１カウンタの歩度修正を行う内部時計修正手段を有することを特徴とするものである。
【００１２】
（４）  前記請求項４に記載の如く、鍵と錠の各インターフェイスが、接触又は非接触によって双方向にデータ授受可能なインターフェイスであることを特徴とするものである。
【００１３】
（５）  前記請求項５に記載の如く、鍵に複数の鍵溝を設ける一方、錠側にはこれ等複数の鍵溝に合致すると開錠作動される複数のシリンダピンと、鍵溝には関係なく、前記鍵のＩＤが有効と認められると電気信号によって開錠作動されるプランジャピンとを設けたことを特徴とするものである。
【００１４】
（６）  前記請求項６に記載の如く、鍵のメモリに、鍵の有効期限を設定するための有効期限フラグを設けたことを特徴とするものである。
【００１５】
上記（１）〜（６）に記載の手段によれば、手動による時間合せが不可能な内部時計を有する鍵を使用して、家屋、部屋、筐体等への施錠や開錠を可能にしたり、或は、各種機器類や装置類を稼働状態にすることができる。
【００１６】
錠は、鍵が差し込まれると接触又は非接触を問わずインターフェイスを介して鍵のＩＤと時刻情報等を読込み、錠自身、或は、錠を有する機器類や装置類の演算処理部において開錠、施錠の可否の判断を行い、許可されると錠内に設けられた鍵の形状と無関係に電気的に可動するプランジャピンを作動して、手動による鍵の回転を可能にするため、開錠又は施錠することを可能にする。
【００１７】
この間に、必要があれば鍵と錠は開錠や施錠等の時刻情報や、或は、メモリに蓄積した各種情報を双方向で授受して、これ等の情報をＩＤごとに保存する。また、これ等の情報に基づいて、錠又はその錠を有する機器類や装置類の演算処理部に於いて演算処理を行って、稼働或は稼働の停止といった各種の処理を実行することを可能にする。
【００１８】
鍵に内蔵した内部時計を正しい時刻に合せるには、鍵を外部インターネットを介して例えば「鍵の時刻取得処理ドライバ・ソフト」がインストールされたコンピュータ端末機へ接続すれば、自動的に時刻配信機関のタイムサーバに接続されるため、時刻配信機関より正確な時刻情報を受信することができる。上記の鍵には、当該内部時計の現在の時刻情報を規定する第１カウンタと、時刻配信機関から取り込んだ正しい時刻に基づいて歩進する第２カウンタと、両カウンタの偏差データを元に第１カウンタの歩度修正を行う内部時計修正手段が具備されているため、内部時計を常に正しい時刻に合せて、正確な時刻情報を提供することを可能にする。
【００１９】
また、コンピュータ端末機を介して鍵を時刻配信機関のタイムサーバと接続している最中に、鍵のメモリに蓄積した鍵自身や錠、又は、この錠を有する機器類や装置類の各種情報をタイムサーバに送信したり、送信されたこれ等の情報に基づいてタイムサーバ側で演算された各種の結果を鍵側に送信することも可能である。
【００２０】
尚、鍵のメモリには有効期限フラグが設けられているため、鍵の使用期限を適宜設定することを可能にする。この有効期限は内部時計の正確性を確保できる予想の期間であってもよいし、予め設定した日時であってもよく、また、１日の内のある時間帯であってもよい。
【００２１】
【発明の実施の形態】
以下に、本発明に係る鍵及び錠装置の実施の形態を図面と共に説明すると、図１は本発明の構成ブロック図であって、同図に示されているように本発明に係る鍵及び錠装置は、情報監視機能と内部時計と固有のＩＤを備えた鍵１０と、この鍵１０によって施錠、開錠されたり、或は、可動状態にされる錠又はこの錠を有する各種機器類・装置類２０（以下単に錠２０という）と、ユーザ３０のコンピュータ端末機３１と、情報伝達手段４０を構成するインターネット４１と、正確な時刻情報を配信する時刻配信機関５０とによって構成されている。
【００２２】
時刻配信機関５０は、上記鍵１０のＩＤの確認と登録を行う手段と、信頼できる時計を有し、各種方法でその時刻を配信可能な機関であり、第三者機関として機能し、正確な時刻情報やその他の種々な情報を、情報伝達手段４０である例えばインターネット４を介してユーザ３０のコンピュータ端末機３１に供給すると共に、時刻情報や種々の情報の授受を行う。ユーザ３０のコンピュータ端末機３１にはドライバ・ソフトがインストールされ、１つ乃至複数の鍵１０が接続自在（着脱自在）に構成されている。鍵１０は、時刻配信機関５０からの正確な時刻情報をユーザ３０のコンピュータ端末機３１を介して取り込むことが可能なように構成されたもので、前記の錠２０に対して接続自在（挿入自在）に構成されていて、挿入して回動することによって、錠２０を施錠又は開錠したり、機器・装置を稼働状態にしたりする機能を備えている。
【００２３】
図１に示すように、上記の時刻配信機関５０は、例えばＧＰＳ衛星からの時刻情報とトレース機関（いずれも図示省略）からの各種情報を受信して動作するもので、基準時計としての原子時計５１と、制御演算部であるタイムサーバー５２を有する。上記の時刻配信機関５０を使うユーザ（クライアント）３０は、専用回線あるいはインターネット４１等を介する情報伝達手段４０を有する。錠２０は、鍵１０とのインターフェイス２１と、制御部２２と、各種Ｉ／Ｏ２３と、内部時計２４と、後述するプランジャピン２５ａ（図２参照）を作動するためのソレノイド２５と、乾電池等の電源２６を有する。
【００２４】
情報伝達手段４０を介してユーザ３０の制御演算部であるコンピュータ端末機３１に接続自在（着脱自在）に構成されている上記の鍵１０は、その把持部１０Ｈ（図２参照）の部分に内部時計１１と、比較器１２と、電源１３と、演算処理部１４と、メモリ１５と、ユーザ３０のコンピュータ端末機３１と演算処理部１４とを接続することができる第１のインターフェイス１６と、演算処理部１４と前記錠２０のインターフエイス２１との間を接続することができる第２のインターフェイス１７、及び、演算処理部１４の演算結果を表示す表示器１８が設けられている。また、内部時計１１は、発信器１１ａと、第１のカウンタ１１ｂと、第２のカウンタ１１ｃとを有する。
【００２５】
上記の鍵１０において、内部時計１１の発信器１１ａは、第１のカウンタ１１ｂと第２のカウンタ１１ｃにパルス信号を入力する。第１のカウンタ１１ｂは、前回の時刻取得処理の完了後運針を続けてきたカウンタであって、内部時計１１の現在時刻を演算処理部１４に導くと共に、カウントデータを比較器１２に導く。第２のカウンタ１１ｃは、時刻配信機関５０から得た新たな時刻情報（正確な時刻情報）を書込んで運針を開始するカウンタであって、配信機関５０からの正確な時刻情報に基づく正確な時刻データを計数してカウントデータを比較器１２に導く。比較器１２は、第１のカウンタ１１ｂと第２のカウンタ１１ｃからの時刻情報とを比較してその偏差情報を演算処理部１４に導く。なお、第１のカウンタ１１ｂと第２のカウンタ１１ｃは、鍵１０の時刻取得処理毎に役割を交代してもよい。
【００２６】
上記の演算処理部１４は、鍵１０を上記ユーザ３０のコンピュータ端末機３１に接続（装着）することによって、第１のインターフェイス１６を介して時刻配信機関５０の正確な時刻情報を受け入れることができ、また、この鍵１０を上記の錠２０に接続（挿入）した場合には、第２のインターフェイス１７を介して当該時刻情報を錠２０に導いて、錠２０の内部時計としての機能を発揮したり、或は、錠２０の内部時計２４を修正するように構成されている。
【００２７】
また、演算処理部１４は、内部時計１１の現在時刻データと、錠２０からの機器情報と配信機関の時刻情報と、比較器１２の偏差情報をもとに演算処理して、メモリ１５への偏差データや機器情報の格納や、メモリ１５からの歩度調整係数や機器情報の読出しを実行すると共に、各種データをインターフェイス１６と情報伝達手段４０を介してユーザ３０と時刻配信機関５０に送信する機能を備えている。
【００２８】
鍵１０の時刻取得処理の１例として、鍵１０は初期設定や認証期間切れなどの時点で、鍵１０のドライバ・ソフトウエアがインストールされた演算処理部であるユーザ３０のコンピュータ端末機３１と、第１のインターフェイス１６を介して接続されることで、時刻取得処理が可能となる。
【００２９】
更に鍵１０は、コンピュータ端末機３１を介して情報伝達手段４０のインターネット４１と接続されたことを検出し、時刻配信機関５０に接続される。接続された段階で、鍵１０は自らのＩＤを送信し、時刻配信機関５０がそれを確認することで、時刻配信機関５０の管理する正確な現在時刻を送信する。送信された信頼性の高い現在時刻に内部時計１１を合せ、偏差情報をもとに歩度調整係数などを計算、置数する。場合によっては時刻取得処理を開始、終了した時刻や歩度調整係数などを時刻配信機関５０に送信し、これらの情報を時刻配信機関５０側で管理することも考えられる。情報取得処理完了を演算処理部１４が表示器１８を使って知らせる。また、鍵１０自体が錠２０の時計となるため、錠２０の時刻、時間に関する情報は正確かつ公正で、後に検証可能な状態にすることができる。
【００３０】
図２は、上述した鍵１０と、この鍵１０によって施錠されたり開錠されたりする錠２０の具体的構成の一例を示したものであって、図面は開錠時（解錠時）の状態を示したものである。図２に於いて、１７ａ，１７ａは鍵１０の接続端子、２１ａ，２１ａは鍵１０のプレート１０Ｔを錠２０のシリンダー内に挿入した時に、上記鍵１０の接続端子１７ａ，１７ａと接続する錠２０側の可動端子、２１ｃ，２１ｃはこの可動端子２１ａ，２１ａを嵌込んだ絶縁ブシュ、２１ｂ，２１ｂは可動端子２１ａ，２１ａを外方に弾発するバネであって、上記鍵１０の接続端子１７ａ，１７ａは第２のインターフェイス１７に接続され、上記錠２０の可動端子２１ａ，２１ａはインターフェイス２１に接続されている。尚、これ等インターフェイス１７，２１同士の接続は非接触であってもよく、図示のように接触式にするか、或は、非接触式にするかの選択は任意である。
【００３１】
更に図２に於いて、２２ａは前記制御部２２の中心を構成するＣＰＵ、２７は外筒シリンダー、２８はこの外筒シリンダー２７の内部に回動自在に嵌込んだ内筒シリンダー、２８′は前記鍵１０のプレート１０Ｔを差し込み自在に構成した内筒シリンダー２８の鍵穴を示す。また、１０Ｔａは上記鍵１０のプレート１０Ｔに複数設けた鍵溝、２７ａと２７ｂはこれ等各鍵溝１０Ｔａ毎に設けた内筒ピンと外筒ピン、２７ｃは軸方向に一列に配列したこれ等各ピン２７ａ，２７ｂを常時鍵穴２８′の方向に弾発するバネであって、各内筒ピン２７ａの先端部が、図示したように鍵穴２８′に差し込まれた鍵１０のプレート１０Ｔに形成されている鍵溝１０Ｔａに合致して落ち込むと、上記内筒ピン２７ａと外筒ピン２７ｂの接面部と、内外の各シリンダー２８，２７の接面部とが一致するため、鍵１０による内筒シリンダー２８の施錠回転、又は、開錠回転を可能にする仕組に成っている。
【００３２】
また、２５ａは上記鍵溝１０Ｔａとは無関係に駆動されるように外筒シリンダー２７に取付けたプランジャピン、２８ａは上記の内筒シリンダー２８に設けたプランジャピン２５ａの係合穴で、プランジャピン２５ａは前述したソレノイド２５によって係合穴２８ａに向けて進退作動されるものであって、図示の如くソレノイド２５がプランジャピン２５ａを後退作動してその先端部を係合穴２８ａから外すと、鍵１０による内筒シリンダー２８の回動を可能にするが、ソレノイド２５がプランジャピン２５ａを前進作動してその先端部を係合穴２８ａに係合している時は、内筒シリンダー２８（錠２０）を施錠状態にロックし、また、このロック状態は、図示のように各鍵溝１０Ｔａに各内筒ピン２７ａが落ち込んだ場合でも、ソレノイド２５によってプランジャピン２５ａが駆動されない限り維持される仕組に成っている。
【００３３】
尚、上記のソレノイド２５は鍵１０の差し込みによる前記各インターフェイス１７，２１の接続によって、メモリ１５に記憶されている鍵１０のＩＤが錠２０側に読み取られて照合され、照合がＯＫと判断された場合に励磁してプランジャピン２５ａを図２に示した開錠装置に後退作動するが、上記ＩＤ情報以外の情報をこれに付加することは可能である。
【００３４】
図３は、以上の如く構成した鍵１０を用いて、家屋、部屋、筐体等に設けた錠２０を施錠或は開錠状態にしたり、この錠２０を有する各種機器類や装置類を稼働状態にしたり、停止状態にする場合の手順を説明したフローチャートであって、先ず始めのステップＳ１で鍵１０を錠２０の鍵穴２８′に挿入すると、ステップＳ２に進んでインターフェイス１７，２１の接続が成され、接続が確認されると次のステップＳ３に進んで鍵１０の固有のＩＤと、内部時計１１の正確な現在時刻が錠２０側に送信され、次いで、ステップＳ４でこれ等ＩＤと時刻が錠２０側に読み込まれて、次のステップＳ５に進む。
【００３５】
ステップＳ５では、錠２０側に読み込まれたＩＤが照合され、次のステップＳ６で照合が一致してＹＥＳと判定されると、ステップＳ７に進んで、施錠時刻や開錠時刻、或は、各種機器類や装置類の稼働時刻や稼働停止時刻といった各種情報の授受が、鍵１０と錠２０の間で双方向に行われて、これ等各種情報をＩＤごとに保存する。その後、ステップＳ８に進んで錠２０のソレノイド２５に通電し、プランジャピン２５ａを図２に示した開錠状態に後退作動（解除作動）し、次いで、鍵１０の表示器１８にロック解除、開錠又は施錠の指示を表示して、処理を終える。また、前記ステップＳ６でＩＤの照合が不一致（ＮＯ）と判定された場合には、ステップＳ１０で警告や警報等の処理を行って、処理を終える。
【００３６】
図４は、上述した鍵１０が時刻配信機関５０から正確な時刻を取得する場合の処理手順を説明したフローチャートであって、ステップＳ１１で鍵１０の第１のインターフェイス１６をユーザ３０のコンピュータ端末機３１に接続する。ステップＳ１２で鍵１０がユーザ３０のコンピュータ端末機３１と接続されたか否かを判断する。ステップＳ１３でコンピュータ端末機３１は時刻取得処理画面でインターネット４１への接続を要請する。次に、ステップＳ１４に進み、ユーザ３０のコンピュータ端末機３１をインターネット４１で時刻配信機関５０へ接続し、ステップＳ１５で鍵１０はコンピュータ端末機３１を介して時刻配信機関５０へ自からのＩＤを送付する。次にステップＳ１６に進み、時刻配信機関５０は、鍵１０のＩＤが登録されているか否かを判断し、登録されておればステップＳ１７で正確な時刻情報を鍵１０に送信する。ステップＳ１８で鍵１０は時刻同期処理をして歩度調整を実行すると共に、ステップＳ１９で鍵１０は機器情報を時刻配信機関５０に送信し、ステップＳ２０で鍵１０の表示機１８は時刻取得処理完了を表示する。次いで、ステップＳ２１でユーザ３０はコンピュータ端末機３１から鍵１０を取り外し、その動作を完了する。
【００３７】
上記のステップＳ１２で、鍵１０がユーザ３０のコンピュータ端末機３１に接続されていなければ、ステップＳ２２で鍵１０は接続要求を表示してステップＳ１１に戻る。また、ステップＳ１６で、鍵１０のＩＤが時刻配信機関５０に登録されているものでなければ、ステップＳ２３に進み、時刻配信機関５０は鍵１０のＩＤ登録依頼をコンピュータ端末機３１に送信する。次にステップＳ２４に進み、コンピュータ３１は登録画面処理を実行し、ステップＳ２５で鍵１０は登録処理を実行しステップＳ１７に進む。
【００３８】
上述の実施例によれば、ユーザ３０のコンピュータ端末機３１とデータの授受が可能な第１のインターフェイス１６と、水晶振動子などの発信器１１ａ及び２個のカウンタ１１ｂ，１１ｃにより構成される内部時計１１と、内部時計１１の２個のカウンタ１１ｂ，１１ｃのカウントデータを比較する比較器１２と、演算処理１４及びメモリ１５と、電池などの電源を持った装置にＰＣとインターフェイスを介して接続したときに、ネットワーク経由で、信頼できる時計を有し各種方法でその時刻を配信可能な時刻配信機関５０からの時刻情報直接取り込むことが可能なように構成された鍵１０を用意する。また、時刻情報を取得する毎に、現在の自己の時刻を刻む第１のカウンタ１１ｂ（前回の時刻取得処理の完了後運針を続けてきたカウンタ）と、時刻配信機関から得た新たな時刻情報を書き込んで運針を開始する第２のカウンタ１１ｃを用意する。
【００３９】
比較器１２は、両カウンタ間の偏差を算出し、その偏差と前回時刻取得処理完了時からの時間数をもとに、基準時間を生成するためのカウント数を調整する。この調整のための計算結果（頻度調整計数）は過去の履歴を保存し、重み付け平均などの処理を行うことでより信頼性が高まる。取り込んだ時刻を基に運針を開始し、現在時刻を表示する液晶などの表示器を使って、使用者は時刻の確認ができるようにしてもよい。
【００４０】
鍵１０は、ある期間非常に正確な時刻を刻む時計を有することになる。鍵１０個々にＩＤを持たせることで、時刻配信機関５０との接続による時刻取得処理の際に、時刻取得処理を行った時刻、鍵１０の現在時刻、歩度調整係数などの情報を、時刻配信機関５０が収集、保管することも可能となる。これにより、時刻取得処理を行ったとき、鍵１０の現在時刻を時刻配信機関５０が確認することで、時刻は配信機関５０側の時計の時刻との偏差が基準値以内であれば、前回の時刻取得処理の間にキークロック由来の時刻情報をもとに実行した処理は、その偏差内であるとの保証を行うことが可能となる。
【００４１】
【発明の効果】
以上述べた次第で、本発明に係る鍵及び錠装置によれば、正確かつ公正な時刻配信機関から得た信頼できる時刻情報をもとに整合された内部時計を持ち、実行された各処理の時刻情報を事後読み出し可能に構成しているため、家屋・部屋、筐体などへの開錠・施錠の実施記録や、機器・装置の作動の時刻制限などが公正かつ確実に実施できる。さらに、通常携行する鍵に、公正な正確な時刻情報とその所属を知らしめるＩＤを具備せしめた点で、日常生活における各種処理の記録や認証が可能となる。
【図面の簡単な説明】
【図１】本発明に係る鍵及び錠装置の構成ブロック図。
【図２】本発明に係る鍵及び錠装置の構成図。
【図３】本発明による開錠・施錠の処理手順を説明したフローチャート。
【図４】本発明による正確な時刻取得の使用よれ手順を説明したフローチャート。
【符号の説明】
１０            鍵
１０Ｔ          プレート
１０Ｔａ        鍵溝
１１            内部時計
１１ａ          発信器
１１ｂ          第１のカウンタ
１１ｃ          第２のカウンタ
１２            比較器
１４            演算処理部
１５            メモリ
１６            第１のインターフェイス
１７            第２のインターフェイス
２０            錠又はこの錠を用いた機器・装置
２１            インターフェイス
２２            制御部
２５            ソレノイド
２５ａ          プランジャピン
２７            外筒シリンダー
２８            内筒シリンダー
２８′          鍵穴
【図１】
2004293244.tif 000003
【図２】
2004293244.tif 000004
【図３】
2004293244.tif 000005
【図４】
2004293244.tif 000006